(57)【特許請求の範囲】
【請求項１】
水平方向に延びる梁材の上に間隔を置いて略平行に設置される第１の屋根フレームと第２の屋根フレームの上面間を塞ぐための隙間の屋根構造であって、
前記屋根フレームと略平行となるように前記梁材の上に設置される長尺状の隙間支持材と、
前記隙間支持材の上方に配置される前記隙間の幅よりも狭い幅の隙間下地板と、
前記隙間下地板並びに前記第１及び第２の屋根フレームの上面を覆うカバー材と、
前記隙間に略平行に設置された複数の前記隙間支持材の対向する前記隙間支持材の上部間を接続するとともに、前記隙間下地板の下面に合わせた形状に上面が成形された受け材とを備えたことを特徴とする隙間の屋根構造。
【請求項２】
前記隙間支持材の下部と前記梁材の上面と接続する連結金具を備えたことを特徴とする請求項１に記載の隙間の屋根構造。
【請求項３】
前記隙間支持材に前記隙間下地板が接合されることを特徴とする請求項１又は２に記載の隙間の屋根構造。
【請求項４】
対向する前記隙間支持材の下部間を接続するとともに、前記梁材に固定される連結金具を備えたことを特徴とする請求項１乃至３のいずれか一項に記載の隙間の屋根構造。
【請求項５】
前記受け材に前記隙間下地板が接合されることを特徴とする請求項１乃至４のいずれか一項に記載の隙間の屋根構造。
【請求項６】
水平方向に延びる梁材の上に間隔を置いて略平行に設置される第１の屋根フレームと第２の屋根フレームの上面間を塞ぐための隙間の屋根構造であって、
前記屋根フレームと略平行となるように前記梁材の上に設置される長尺状の隙間支持材と、
前記隙間支持材の上方に配置される前記隙間の幅よりも狭い幅の隙間下地板と、
前記隙間下地板並びに前記第１及び第２の屋根フレームの上面を覆うカバー材と、
前記隙間に略平行に設置された複数の前記隙間支持材の対向する前記隙間支持材の下部間を接続するとともに、前記梁材に固定される連結金具と、
前記連結金具と前記梁材との間に介在されるとともに、突出した両端に前記隙間支持材がそれぞれ載せられる取付板とを備えたことを特徴とする隙間の屋根構造。
【発明の詳細な説明】
【技術分野】
【０００１】
本発明は、建物の屋根に設置される屋根パネルなどの側面を形成する屋根フレーム間に間隔が空いている場合の隙間の屋根構造に関するものである。
【背景技術】
【０００２】
建物の屋根に太陽電池モジュールを設置するために、屋根と太陽電池モジュールとを一体化させた屋根パネルを並べて構築される屋根構造が知られている（特許文献１など参照）。
【０００３】
ここで、建物の屋根の面積は、必ずしも屋根パネルの規定の大きさ（幅）の倍数になるわけではないので、屋根パネル間には隙間が空くことがある。そこで、このような隙間を塞ぐための構造が、特許文献２，３などに開示されている。
【０００４】
特許文献２には、屋根パネル間の隙間の上方を覆うカバー部材が開示されている。このカバー部材は、隣接する屋根パネルの縁部間に架け渡されるだけの構造となっている。
【０００５】
また、特許文献３には、エキスパンション・ジョイントを介して複数棟が連結された建物の連結構造が開示されている。この連結構造においても、隣接する屋根ユニットの縁部間に架け渡されるだけのカバー部材によって隙間は覆われている。
【先行技術文献】
【特許文献】
【０００６】
【特許文献１】特許第５５６４１４０号公報
【特許文献２】特許第４５７７８０５号公報
【特許文献３】特許第３７６６４７０号公報
【発明の概要】
【発明が解決しようとする課題】
【０００７】
しかしながら塞ぐ隙間が広くなる場合は、縁部間に架け渡されるだけのカバー部材だけでは積雪荷重などの上載荷重に耐えられなくなる。また、このような構造では、建築時や修繕時に作業者が荷重をかけることもできない。
【０００８】
そこで、本発明は、隙間が広くなった場合にも上載荷重を作用させることが可能な隙間の屋根構造を提供することを目的としている。
【課題を解決するための手段】
【０００９】
前記目的を達成するために、本発明の隙間の屋根構造は、水平方向に延びる梁材の上に間隔を置いて略平行に設置される第１の屋根フレームと第２の屋根フレームの上面間を塞ぐための隙間の屋根構造であって、前記屋根フレームと略平行となるように前記梁材の上に設置される長尺状の隙間支持材と、前記隙間支持材の上方に配置される前記隙間の幅よりも狭い幅の隙間下地板と、前記隙間下地板並びに前記第１及び第２の屋根フレームの上面を覆うカバー材とを備えたことを特徴とする。
【００１０】
ここで、前記隙間支持材の下部と前記梁材の上面と接続する連結金具を備えた構成とすることが好ましい。また、前記隙間支持材に前記隙間下地板が接合されることが好ましい。
【００１１】
さらに、前記隙間には、略平行に複数の前記隙間支持材が設置される構成とすることができる。そして、対向する前記隙間支持材の下部間を接続するとともに、前記梁材に固定される連結金具を備えた構成とすることができる。
【００１２】
また、対向する前記隙間支持材の上部間を接続するとともに、前記隙間下地板の下面に合わせた形状に上面が成形された受け材を備えた構成とすることができる。さらに、前記受け材に前記隙間下地板が接合されることが好ましい。
【発明の効果】
【００１３】
このように構成された本発明の隙間の屋根構造は、カバー材の下方に隙間下地板が配置される。また、隙間下地板と梁材との間には、隙間支持材が介在される。
【００１４】
このため、カバー材に積雪荷重や作業時の荷重などの上載荷重が作用しても、隙間下地板及び隙間支持材によって下方から確実に支持させることができる。すなわち、隙間が広くなった場合にも上載荷重に充分に耐え得る構造とすることができる。
【００１５】
また、隙間支持材の下部と梁材の上面とを連結金具によって接続することで、横方向の力が隙間支持材に作用しても転倒しないようにすることができる。さらに、隙間支持材と隙間下地板とを接合させることによって、隙間下地板が梁材に固定されることになるので、下方から吹き上げる風の力に対しても確実に抵抗させることができる。
【００１６】
また、隙間が広くなる場合は、隙間支持材を複数設置することによって、大きくなる作用荷重に充分に対抗させることができる。さらに、複数の隙間支持材は、連結金具によって一体化させることができる。
【００１７】
また、対向する隙間支持材の上部間に、隙間下地板の下面に合わせた形状に上面が成形された受け材が架け渡されていれば、隙間支持材間の間隔が広くなっても、隙間下地板からの荷重を確実に受けさせることができる。さらに、受け材と隙間下地板を接合させることによって、下方から吹き上げる風による吹き上げ荷重が大きくなっても抵抗させることができる。
【図面の簡単な説明】
【００１８】
【図１】本発明の実施の形態の隙間の屋根構造の構成を示した断面図である。
【図２】屋根フレーム間を屋根ふき材で塞いだ状態を示した断面図である。
【図３】太陽電池モジュールを取り付ける工程を説明する斜視図である。
【図４】建物ユニットの上に屋根パネルを設置する工程を説明する斜視図である。
【図５】屋根パネル間に下地セットを配置する工程を説明する斜視図である。
【図６】桁屋根梁に下地セットを固定する工程を説明する断面図である。
【図７】連結金具の上方を隙間下地板で塞ぐ工程を説明する斜視図である。
【図８】屋根パネル間をカバー材で覆う工程を説明する斜視図である。
【図９】実施例１の隙間の屋根構造の構成を示した断面図である。
【図１０】実施例２の隙間の屋根構造の構成を示した断面図である。
【発明を実施するための形態】
【００１９】
以下、本発明の実施の形態について図面を参照して説明する。図１は、本実施の形態の隙間の屋根構造の構成を説明する断面図である。また、図２，３は、屋根として並べられる屋根パネル１０の構成を説明するための図である。さらに、図４は、その屋根パネル１０が設置される建物としてのユニット建物の屋根構造の構築過程を示した斜視図である
本実施の形態では、屋根パネル１０，１０間の隙間に設けられる隙間の屋根構造について説明するが、これに限定されるものではなく、梁材の上に間隔を置いて略平行に設置された屋根フレーム間であれば、いずれの形態によって設置された屋根フレームに対しても適用することができる。
【００２０】
まず、ユニット建物について説明すると、図４に示すように複数の建物ユニットＨ１，・・・を隣接させて構築される住宅などの建物である。建物ユニットＨ１は、隅角部に配置される４本の鋼製の柱Ｈ１１，・・・と、柱Ｈ１１，Ｈ１１の上端間及び下端間をそれぞれ繋ぐ鋼製の梁材（Ｈ１２，Ｈ１３など）とによって直方体状に形成される。また、この建物ユニットＨ１は、柱材と梁材とがすべて溶接によって剛接合される鉄骨ラーメン構造である。
【００２１】
柱Ｈ１１，Ｈ１１の上端間に架け渡される水平方向に延びる梁材は、下階では天井梁であり、最上階では屋根梁となる。ここで、長辺側（桁側）の屋根梁を桁屋根梁Ｈ１２とし、短辺側の屋根梁を妻屋根梁Ｈ１３とする。
【００２２】
一方、屋根パネル１０は、図２−４に示すように、側縁を形成するために略平行に配置される一対の屋根フレーム２，２と、屋根フレーム２，２間を塞ぐように配置される屋根ふき材４と、屋根ふき材４の上方を跨ぐように屋根フレーム２，２に固定される太陽電池モジュール１とを主に備えている。
【００２３】
また、一対の屋根フレーム２，２の内側面側には、図２に示すようにガイド部３が形成される。このガイド部３は、一対の屋根フレーム２，２にそれぞれ固定される支持材３１，３１と、それらの支持材３１，３１に両側縁を支持させる下地板としての野地板３２とを有している。
【００２４】
屋根フレーム２は、幅の広い下フランジ２１と、それよりも幅が狭い上フランジ２３と、平行に配置された下フランジ２１と上フランジ２３との側縁間を繋ぐウェブ２２とによって、断面視略Ｃ字形又はコ字形に形成される。
【００２５】
そして、この屋根フレーム２のウェブ２２の内側面に沿って、木桟などを支持材３１として取り付ける。この支持材３１は、屋根ふき材４の上面に形成される(排水)勾配に合わせて取り付けられる。
【００２６】
また、支持材３１は、図１に示すように、屋根フレーム２の外側面側から打ち込まれた木ねじ３１ａによってウェブ２２に接合される。この支持材３１は、屋根フレーム２の長手方向の位置によって取り付ける高さが異なることになる。
【００２７】
こうして屋根フレーム２，２の内側面側にそれぞれ取り付けられた支持材３１，３１の上には、図２に示すように野地板３２の両側縁を載せる。野地板３２は、一定の厚さに成形されているので、支持材３１，３１の勾配と同じ勾配の上面が形成されることになる。
【００２８】
この野地板３２は、釘３１ｂによって支持材３１に接合させる。また、野地板３２の上面は、ポリエチレンルーフィングなどの防水シート３２ａで覆う。この防水シート３２ａは、屋根フレーム２の内側面にかかる位置まで敷設されて、野地板３２の全面が防水シート３２ａによって覆われることになる。
【００２９】
そして、この防水シート３２ａの上から屋根ふき材４を設置する。この屋根ふき材４は、例えば防水性能及び耐食性能に優れた溶融アルミニウムめっき鋼板などによって形成される。
【００３０】
屋根ふき材４は、野地板３２の上に重ねる長方形の平板状の平板部４０と、平板部４０の両側縁からほぼ垂直に立ち上げられる立壁部４１，４１と、立壁部４１，４１の上端からほぼ直角に外側に向けて張り出される上縁部４２，４２とが、一枚の板材を折り曲げ加工することによって形成される。
【００３１】
この屋根ふき材４の平板部４０に形成される勾配は、支持材３１の取り付け勾配と一致している。また、屋根ふき材４は、上縁部４２を屋根フレーム２の上フランジ２３に載せて、ドリルねじ２４をねじ込んで上縁部４２及び上フランジ２３を貫通させることによって接合される。
【００３２】
このようにして防水性能が高い屋根ふき材４によって塞がれた屋根フレーム２，２間には、太陽電池モジュール１が配置される。太陽電池モジュール１の両側縁には、図３に示すように、屋根フレーム２，２に固定させるための受け金具１１Ａ，１１Ｂが締結具１２（図１参照）によって取り付けられている。
【００３３】
この受け金具１１Ａ，１１Ｂは、屋根フレーム２に対して太陽電池モジュール１を傾斜させて取り付ける場合は長さ（高さ）を変える。ここでは、受け金具１１Ａの方を短くし、受け金具１１Ｂの方を長くしている。なお、太陽電池モジュール１を屋根フレーム２の上面に対して平行に取り付ける場合は、受け金具１１Ａ，１１Ｂの長さ（高さ）を同じにする。
【００３４】
太陽電池モジュール１は、受け金具１１Ａ，１１Ｂに通したドリルねじ１３を屋根フレーム２の上フランジに２３にねじ込むことによって固定される。このようにして取り付けられた太陽電池モジュール１の下面は、図１に示すように屋根ふき材４の上面からは離隔している。すなわち、屋根ふき材４の上面と太陽電池モジュール１の下面との間には、雨水などを流下させることが可能となる隙間が存在する。
【００３５】
上述したような構成の屋根パネル１０の幅（屋根フレーム２，２間の距離）は、既定の寸法で製作される。これに対して、ユニット建物に必要な屋根の面積がこの屋根パネル１０の幅の倍数になるとは限らない。
【００３６】
そこで、図１を参照しながら屋根パネル１０，１０間に発生する隙間を塞ぐための屋根構造について説明する。ここで、図１の左側の屋根パネル１０の右側縁を形成する屋根フレーム２が第１の屋根フレームとなり、図１の右側の屋根パネル１０の左側縁を形成する屋根フレーム２が第２の屋根フレームとなる。
【００３７】
この屋根フレーム２の下縁は、ウェブ２２にドリルねじ２８ａによって取り付けられた断面視Ｌ字形の固定金具２８を介して、桁屋根梁Ｈ１２に固定される。すなわち固定金具２８は、桁屋根梁Ｈ１２の上面にボルト２１ｂとナット２１ｃによって接合される。
【００３８】
そして、隙間を挟んで対向する屋根フレーム２，２間には、屋根フレーム２，２と略平行となるように設置される長尺状の隙間支持材５５，５５と、隙間支持材５５，５５の上方に配置される隙間下地板５４と、隙間下地板５４及び屋根フレーム２，２の上フランジ２３，２３を覆うカバー材５と、隙間支持材５５，５５と桁屋根梁Ｈ１２とを連結する連結金具５６とによって主に構成される。
【００３９】
この連結金具５６は、桁屋根梁Ｈ１２の上面と略平行となる底面部５６２と、その底面部５６２の両側縁から略直角に立ち上げられる側壁部５６１，５６１とによって、断面視略Ｕ字形に成形される。
【００４０】
この連結金具５６の底面部５６２と桁屋根梁Ｈ１２との間には、長方形の鋼板が取付板５７として介在される。この取付板５７は、底面部５６２より隙間支持材５５の幅の２倍分だけ長く成形される。
【００４１】
また、取付板５７には、略中央にねじ孔が設けられる。そして、底面部５６２の略中央から突出されたボルト５６ｃにナット５６ｄを締め付けることで、桁屋根梁Ｈ１２の上フランジと取付板５７と連結金具５６とを締結する。
【００４２】
この状態では、連結金具５６の両側に、それぞれ隙間支持材５５の幅だけ取付板５７の両端が突出することになる。この突出した取付板５７の上に、隙間支持材５５，５５がそれぞれ載せられる。
【００４３】
この隙間支持材５５は、桁屋根梁Ｈ１２の上に設置される長尺状の角材である。隙間支持材５５は、図５，７に示すように、屋根フレーム２に略平行に連続した長さに成形される。
【００４４】
また、隙間支持材５５は、図１に示すように、下面を取付板５７の上面に接触させ、上面を隙間下地板５４の下面に接触させる。さらに、隙間支持材５５の厚さ方向にボルト５６ａを貫通させ、側壁部５６１側に突出された先端にナット５６ｂを装着して締結することで、隙間支持材５５の下部を連結金具５６に接合させる。
【００４５】
このようにして連結金具５６の両側の側壁部５６１，５６１をそれぞれ隙間支持材５５，５５に接合させることで、対向する隙間支持材５５，５５の下部同士が接続されたことになる。
【００４６】
さらに、桁屋根梁Ｈ１２に固定された隙間支持材５５，５５の上面には、隙間下地板５４が載せられる。この隙間下地板５４は、隙間の両側の屋根フレーム２，２間の間隔（隙間の幅）よりも僅かに狭い幅に構造用合板などによって成形される。
【００４７】
ここで、図５に示すように、一対の隙間支持材５５，５５間を連結金具５６で接続させるとともに、隙間支持材５５，５５の上面に隙間下地板５４を接合させた組立て部材を、下地セット５０と呼ぶこととする。工場で下地セット５０に組み上げることで、隙間支持材５５，５５と連結金具５６と隙間下地板５４とを一度に配置することができるようになる。
【００４８】
一方、隙間下地板５４の側縁は、図１，５，７に示すように、屋根フレーム２のウェブ２２の上縁に取り付けられた断面視Ｌ字形のＬアングル５４ａによって支持される。
【００４９】
このＬアングル５４ａは、ドリルねじ５４ｂによってウェブ２２に接合される。さらに、隙間下地板５４の両側縁は、ドリルねじ５４ｃ，５４ｃによってＬアングル５４ａ，５４ａに接合される。
【００５０】
また、隙間下地板５４の上面には、カバー材５の結露防止用に断熱材５２が敷設される。さらに、屋根フレーム２の上フランジ２３と隙間下地板５４との間は、止水テープ５３で覆われる。
【００５１】
そして、隙間下地板５４及びその両側の上フランジ２３，２３は、断面視門形の長尺状のカバー材５によって覆われる。このカバー材５は、図８に示すように、端部にドリルねじ５１，・・・がねじ込まれて上フランジ２３，２３に固定される。
【００５２】
以上のようにして工場などで製作された屋根パネル１０は、建築現場まで搬送されて、クレーンで吊り上げられて建物ユニットＨ１，・・・の上に並べて設置される。
【００５３】
以下では、図４−８を参照しながら、複数の屋根パネル１０，・・・を並べて構築されるユニット建物の屋根構造について説明する。まず、図４に示すように、屋根パネル１０を一枚ずつ建物ユニットＨ１，・・・の上に並べていく。
【００５４】
この屋根パネル１０は、複数の建物ユニットＨ１，・・・に跨って設置される。屋根パネル１０の長さと架け渡す建物ユニットＨ１，・・・の数との関係は、任意に設定することができる。
【００５５】
屋根パネル１０の屋根フレーム２の下フランジ２１には、連結穴（図示省略）が桁屋根梁Ｈ１２，・・・の間隔に合わせて穿孔されている。そこで、その連結穴にボルト２１ｂを通し、桁屋根梁Ｈ１２に設けられた穴Ｈ１２１に貫通させて、ナット２１ｃを装着する。
【００５６】
また、図６に示されているように、下フランジ２１の下にはスペーサ２１ｄを介在させる。そしてボルト２１ｂを、固定金具２８、スペーサ２１ｄ及び桁屋根梁Ｈ１２の上フランジに貫通させて下方に突出させ、ナット２１ｃによって締結する。
【００５７】
このようにして建物ユニットＨ１に屋根パネル１０，１０を固定させた後に、図５に示すように、屋根パネル１０，１０間の隙間に下地セット５０を配置する。
【００５８】
この下地セット５０は、連結金具５６の上方周辺を除いては、隙間支持材５５，５５の上面が隙間下地板５４，・・・によって覆われている。一方、桁屋根梁Ｈ１２の上面には中央にねじ孔が穿孔された取付板５７が載せられ、桁屋根梁Ｈ１２の上フランジの下方からボルト５６ｃがねじ込まれた状態となっている。
【００５９】
そこで、上方に突出したボルト５６ｃの先端に連結金具５６のねじ孔を合わせるようにして、下地セット５０を屋根パネル１０，１０間の隙間に降ろす。続いて、隙間支持材５５，５５間に突出したボルト５６ｃにナット５６ｄを装着して、図６に示すように締結工具Ｔでナット５６ｄを締め付ける。
【００６０】
このようにして下地セット５０を桁屋根梁Ｈ１２に固定した後に、図７に示すように、隙間下地板５４の両側縁をドリルねじ５４ｃ，５４ｃによってＬアングル５４ａ，５４ａに接合させる。
【００６１】
また、連結金具５６の上方の隙間下地板５４，５４間を、隙間下地板５４１によって覆う。この隙間下地板５４１は、隙間下地板５４，５４の間隔に合わせて長方形に成形されており、ドリルねじ５４ｃ，・・・によってＬアングル５４ａ，５４ａ及び隙間支持材５５，５５に接合させる。
【００６２】
続いて、隙間下地板５４，５４１の上面に断熱材５２を敷設し、止水テープ５３，５３による防水処理を施した後に、図８に示すようにカバー材５を被せる。そして、カバー材５の端部は、ドリルねじ５１，・・・によって屋根フレーム２，２に固定させる。
【００６３】
以上のようにして複数の屋根パネル１０，・・・を設置して、隙間の屋根構造を構築することによって、陸屋根の全面が屋根パネル１０，・・・及びカバー材５で覆われたユニット建物の屋根構造が完成する。
【００６４】
次に、本実施の形態の隙間の屋根構造の作用について説明する。
【００６５】
このように構成された本実施の形態の隙間の屋根構造は、カバー材５の下方に隙間下地板５４が配置される。また、隙間下地板５４と桁屋根梁Ｈ１２との間には、隙間支持材５５，５５が介在される。
【００６６】
このため、カバー材５に積雪荷重や作業時の人荷重などの上載荷重が作用しても、隙間下地板５４及び隙間支持材５５，５５によって下方から確実に支持させることができる。すなわち、屋根フレーム２，２間の隙間が広くなった場合にも、上載荷重に充分に耐え得る構造とすることができる。
【００６７】
また、隙間支持材５５，５５の下部と桁屋根梁Ｈ１２の上フランジとを連結金具５６によって接続することで、隙間下地板５４を介して横方向の力が隙間支持材５５，５５に作用しても転倒しないようにすることができる。
【００６８】
さらに、隙間支持材５５，５５と隙間下地板５４とが接合されるとともに、連結金具５６によって一体化された隙間支持材５５，５５が桁屋根梁Ｈ１２に接合されていれば、隙間下地板５４が桁屋根梁Ｈ１２に固定されたことになる。この結果、下方から吹き上げる風による吹き上げ荷重が大きくなっても充分に抵抗させることができる。
【００６９】
また、隙間支持材５５，５５に支持される隙間下地板５４によって下地面が形成されていれば、例えば板厚の薄い（剛性が低い）カバー材５を使用しても、安定して支持させることができる。
【００７０】
さらに、カバー材が一枚板によって形成されていなくても、隙間下地板５４の上で繋ぎ合わせていけばよいので、どのような形態の屋根ふき材であっても使用することができる。
【実施例１】
【００７１】
以下、前記実施の形態で説明した隙間の屋根構造とは別の形態について、図９を参照しながら説明する。なお、前記実施の形態で説明した内容と同一乃至均等な部分の説明については、同一用語又は同一符号を付して説明する。
【００７２】
前記実施の形態では、カバー材５及び隙間下地板５４の上面が略水平に形成される場合について説明した。本実施例１では、カバー材５Ａ及び隙間下地板５４Ａの上面に排水勾配を形成する場合について説明する。
【００７３】
図９に示した屋根パネル１０，１０間の隙間は、前記実施の形態で説明した隙間より広くなるため、カバー材５Ａに落ちた雨水が両側の屋根パネル１０，１０に向けてそれぞれ排水されるようにする。
【００７４】
この実施例１の隙間の屋根構造は、屋根フレーム２，２と略平行となるように設置される長尺状の隙間支持材５５Ａ，５５Ａと、隙間支持材５５Ａ，５５Ａの上部間を接続する受け材５８と、隙間支持材５５Ａ，５５Ａ及び受け材５８の上方に配置される隙間下地板５４Ａと、隙間下地板５４Ａ及びその両側の上フランジ２３，２３を覆うカバー材５Ａと、隙間支持材５５Ａ，５５Ａと桁屋根梁Ｈ１２とを連結する連結金具５６Ａとによって主に構成される。
【００７５】
実施例１の隙間下地板５４Ａの上面及び下面５４２は、隙間の幅方向の略中央が最も高くなるように傾斜面に形成される。すなわち、勾配の緩い両流れの切妻屋根状に形成される。
【００７６】
そして、このように形成される隙間下地板５４Ａに被せるカバー材５Ａも、左右対称の断面視五角形状に形成される。さらに、受け材５８の上面５８１も、隙間下地板５４Ａの下面５４２に合わせた形状に成形される。すなわち、隙間支持材５５Ａ，５５Ａの上部間には、五角形板状の受け材５８が架け渡される。
【００７７】
一方、連結金具５６Ａは、桁屋根梁Ｈ１２の上面と略平行となる幅の広い底面部５６２Ａと、その底面部５６２Ａの両側縁から略直角に立ち上げられる側壁部５６１，５６１とによって、断面視略Ｕ字形に成形される。
【００７８】
この底面部５６２Ａは、幅が広くなるため、２箇所に配置されたボルト５６ｃ，５６ｃによって桁屋根梁Ｈ１２に固定される。また、この底面部５６２Ａの下に敷かれる取付板５７Ａも、広がった底面部５６２Ａの幅に合わせて長尺状に成形される。
【００７９】
このように構成された実施例１の隙間の屋根構造は、対向する隙間支持材５５Ａ，５５Ａの上部間に、隙間下地板５４Ａの下面５４２に合わせた形状に上面５８１が成形された受け材５８が架け渡されている。
【００８０】
このため、隙間支持材５５Ａ，５５Ａ間の間隔が広くなっても、隙間下地板５４Ａからの荷重を確実に受けさせることができる。ここで、積雪荷重などの上載荷重を受けさせるだけであれば、受け材５８の上面５８１と隙間下地板５４Ａの下面５４２との間には、僅かな間隙があってもよい。
【００８１】
他方、受け材５８の上面５８１と隙間下地板５４Ａの下面５４２と接合させることによって、幅の広くなった隙間が受ける大きな吹き上げ荷重にも抵抗させることができるようになる。
【００８２】
なお、他の構成及び作用効果については、前記実施の形態又は他の実施例と略同様であるので説明を省略する。
【実施例２】
【００８３】
以下、前記実施の形態及び実施例１で説明した隙間の屋根構造とは別の形態について、図１０を参照しながら説明する。なお、前記実施の形態又は実施例１で説明した内容と同一乃至均等な部分の説明については、同一用語又は同一符号を付して説明する。
【００８４】
本実施例２では、妻屋根梁Ｈ１３，Ｈ１３を挟んで発生する隙間を塞ぐ場合について説明する。この実施例２で説明するカバー材５Ｂ及び隙間下地板５４Ｂの上面にも、排水勾配が形成される。
【００８５】
図１０に示した屋根パネル１０，１０間の隙間には、隙間支持材５５Ｂが１本だけ配置される。この屋根フレーム２，２と略平行となるように設置される長尺状の隙間支持材５５Ｂは、断面視略Ｌ字形の連結金具５９によって妻屋根梁Ｈ１３に固定される。
【００８６】
この連結金具５９は、妻屋根梁Ｈ１３の上面に載せられる底面部５９２と、その底面部５９２の一方の側縁から略直角に立ち上げられる側壁部５９１とによって成形される。
【００８７】
また、隙間の両側の屋根フレーム２，２の上縁に取り付けられるＬアングル５４ａ，５４ａは、取り付け位置（高さ）が異なっており、図１０では、右側のＬアングル５４ａが高い位置に取り付けられている。
【００８８】
このため、これらのＬアングル５４ａ，５４ａに両側縁が支持される隙間下地板５４Ｂによって、左が下がった片流れの傾斜面が形成されることになる。そして、隙間下地板５４Ｂの下面に接触させる隙間支持材５５Ｂの上面も、これに合わせた傾斜面に成形される。
【００８９】
このようにしてカバー材５Ｂに片流れの傾斜面を形成しておくことで、カバー材５Ｂに落ちた雨水を一方の屋根パネル１０側に向けて速やかに排水させることができる。
【００９０】
なお、他の構成及び作用効果については、前記実施の形態又は他の実施例と略同様であるので説明を省略する。
【００９１】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００９２】
例えば、前記実施の形態では、建物としてユニット建物を例に説明したが、これに限定されるものではなく、在来工法などによって構築される建物の屋根構造にも適用することができる。
【００９３】
また、前記実施の形態及び実施例では、複数枚の屋根パネル１０，・・・を並べることによって平坦な陸屋根を構築する場合について説明したが，これに限定されるものではなく、傾斜屋根にも適用することができる。
【符号の説明】
【００９４】
Ｈ１２          桁屋根梁（梁材）
Ｈ１３          妻屋根梁（梁材）
２              屋根フレーム
２３            上フランジ（上面）
５              カバー材
５４，５４１    隙間下地板
５５            隙間支持材
５６            連結金具
５Ａ            カバー材
５４Ａ          隙間下地板
５４２          下面
５５Ａ          隙間支持材
５６Ａ          連結金具
５８            受け材
５８１          上面
５Ｂ            カバー材
５４Ｂ          隙間下地板
５５Ｂ          隙間支持材
５９            連結金具
【図１】
0006415194.tif 000002
【図２】
0006415194.tif 000003
【図３】
0006415194.tif 000004
【図４】
0006415194.tif 000005
【図５】
0006415194.tif 000006
【図６】
0006415194.tif 000007
【図７】
0006415194.tif 000008
【図８】
0006415194.tif 000009
【図９】
0006415194.tif 000010
【図１０】
0006415194.tif 000011